(57)【要約】【課題】  取り扱いを簡易にするメニューブックを提供する。【解決手段】  薄形のカバー部１は折り込み部１１を中心として折り込み可能であって、このカバー部の上記折り込み部の内面上に止め具２１によって綴じ具２を固定し、この綴じ具に取り外し可能のメニューファイル３を取り付けてあり、綴じ具２の本体に間隔を置いて複数の開閉可能なリング状の綴じ環２２を起立し、メニューファイルがメニュー用紙４を開口部３２から収納可能である透明の袋状のファイル部３１を有しており、一辺に複数の綴じ孔３３を開けてあり、上記メニューファイルの各綴じ孔は、上記綴じ環に係合可能である。【選択図】        図１
0003117247.tif 000002
【実用新案登録請求の範囲】
【請求項１】
折り込み部を中心として折り込み可能である薄形のカバー部と、このカバー部の上記折り込み部の内面上に止め具によって固定してある綴じ具と、この綴じ具に取り外し可能に取り付けてあるメニューファイルとを備えており、
上記綴じ具は、本体に間隔を置いて起立してある複数の開閉可能なリング状の綴じ環を設けてあり、
上記メニューファイルは、メニュー用紙を開口部から収納可能である透明の袋状のファイル部を有しており、一辺に複数の綴じ孔を開けてあり、
上記メニューファイルの各綴じ孔は、上記綴じ環に係合可能である
ことを特徴とするメニューブック。
【請求項２】
折り込み部を中心として折り込み状態のカバー部の厚さは約５ｍｍから約１０ｍｍの範囲であることを特徴とする請求項１記載のメニューブック。
【考案の詳細な説明】
【技術分野】
【０００１】
この考案は、メニューを表示してあるメニュー用紙を差し入れることができるメニューブックに関するものである。
【背景技術】
【０００２】
メニューブックとして、例えば意匠登録第８５３０８８号公報に記載の「メニュー」や特開２００５−１９９５８５号公報に記載の「メニューブック」（以下「従来例１」及び「従来例２」という。）などが提案されている。
従来例１は、透明の二つ折りのメニューファイルの内側の両側に一辺側が開口されたメニュー用紙用の収納部を形成し、両収納部の開口からメニューが印刷されたメニュー用紙が差し入れられ、少なくともメニューファイルの内側の左右両側にメニュー表示部が構成されるものである。
従来例２はカバー部、メニューファイル及びメニューピンを備えている。上記カバー部は第１表紙部と、第２表紙部と、背表紙部とを一体連結し、この背表紙部を中心として二つ折り可能なものである。カバー部の内側には、メニューファイルとして、メニューが書き込まれた用紙を挿入自在とした袋状のファイルが折込部を中心として２連状態に形成されている。このようなメニューファイルをカバー部の内側にセットして、中央部の上下両側からメニューピンで挟んでカバー部に固定する。
【特許文献１】意匠登録第８５３０８８号公報
【特許文献２】特開２００５−１９９５８５号公報
【考案の開示】
【考案が解決しようとする課題】
【０００３】
従来例１は、本出願人に係るものであるが、構成が簡単でその扱いが容易である利点があるが、メニュー表示部のスペースが限られる課題がある。
従来例２は、メニューファイルを複数重ねて使用すれば、上記の課題は解決することができるものの、メニューファイルを重ねて使用したり、メニューピンによる固定操作が面倒であり、その取り扱いに改善すべき点がある。
この考案の目的は、取り扱いを簡易にするメニューブックを提供することにある。
【課題を解決するための手段】
【０００４】
この考案の第１の特徴は、折り込み部を中心として折り込み可能である薄形のカバー部と、このカバー部の上記折り込み部の内面上に止め具によって固定してある綴じ具と、この綴じ具に取り外し可能に取り付けてあるメニューファイルとを備えていることにある。  上記綴じ具は、本体に間隔を置いて起立してある複数の開閉可能なリング状の綴じ環を設けてあり、上記メニューファイルは、メニュー用紙を開口部から収納可能である透明の袋状のファイル部を有しており、一辺に複数の綴じ孔を開けてあり、上記メニューファイルの各綴じ孔は、上記綴じ環に係合可能である。
この考案の第２の特徴は、第１の特徴を前提して、折り込み部を中心として折り込み状態のカバー部の厚さは約５ｍｍから約１０ｍｍの範囲であることにある。
【考案の効果】
【０００５】
この考案によれば、薄形のカバー部に綴じ具を一体的に設け、この綴じ具にメニューファイルを取り付けているので、取り扱いを簡易にすることができる。
【考案を実施するための最良の形態】
【０００６】
図１及び図２に示すメニューブックは、薄形のカバー部１と、このカバー部の内面上に固定してある綴じ具２と、この綴じ具に取り外し可能に取り付けてあるメニューファイル３とを備えている。
【０００７】
図１〜図３に示すように、カバー部１は、折り込み部１１を中心として幅方向に折り込み可能である。カバー部１は、図２に示すように折り込み部１１を中心として折り込み（折り畳み）状態におけるその厚さＴが約５ｍｍから約１０ｍｍの範囲に設定された薄形のものである。約５ｍｍより薄くすることは、これに伴って綴じ具２の幅を狭くする必要があり、綴じ具の製作コストがかかり、また約１０ｍｍを越えると、嵩張って扱いや保管に難があるので、上記範囲が望ましい。
【０００８】
図３〜図５に示すように、綴じ具２は、カバー部１の折り込み部１１の内面上にその長手方向（図３上下方向）に沿って配置されており、その本体が複数の止め具２１によって折り込み部に固定されている。綴じ具２は、その本体に間隔を置いて起立してある複数の開閉可能なリング状の綴じ環２２を設けてある。綴じ環２２は中央上部から外側へ開放することができる。綴じ環２２の開放は、綴じ具２の両端に位置している操作レバー２３によって行われる。綴じ環２２の閉鎖は、開いている綴じ環２２を人手によってその両側から押圧する。操作レバー２３は綴じ具２の本体内に設けられている開閉機構（図示せず。）を通じて綴じ環２２に連動している。綴じ環２２及び操作レバー２３を含む開閉機構は公知のものが使用されている。
【０００９】
図１及び図６に示すように、メニューファイル３は、透明の袋状のファイル部３１を有している。ファイル部３１はメニュー用紙４をその内部へ差し入れるための開口部３２を設けてあり、図示の例ではファイル部３１の上側に設けてある。またメニューファイル３は、その一辺側に複数の綴じ孔３３を開けてある。各綴じ孔３３は綴じ環２２に係合可能である。
メニュー用紙４には各種のメニューが印刷などによって表示されている。メニューファイル３には、メニュー用紙４をファイル部３１内へ収納した状態でメニュー表示部が形成される。
【００１０】
次に、メニューブックの使用方法について説明する。
メニュー用紙４をメニューファイル３のファイル部３１内へ収納する。そしてカバー部１の折り込み部１１を中心として開き、この状態で綴じ具２の綴じ環２２をメニューファイル３の綴じ孔３３に係合させる。こうすると、メニュー用紙入りのメニューファイル３はカバー部１に綴じ具２を通じて綴じ込められる。
同様の方法で、他のメニュー用紙入りのメニューファイル３についても、必要があればカバー部１に綴じる。
【００１１】
図１に示すメニューブックによれば、薄形のカバー部に綴じ具を一体的に設け、この綴じ具にメニューファイルを取り付けているので、嵩張らず、保管や使用がし易く、取り扱いが簡易となり、また必要に応じて複数枚のメニューファイル３をカバー部１に綴じ込めることができるから、メニュー表示部のスペースの拡大を図ることができる。
【００１２】
綴じ具２の綴じ環２２は、図示の例では操作レバー２３によって閉鎖可能としたが、閉鎖と開放の双方を可能にするようにしても良く、そのための開閉機構を綴じ具２に組み込むようにしても良い。
【図面の簡単な説明】
【００１３】
【図１】この考案に係るメニューブックを示す一部切欠平面図である。
【図２】この考案に係るメニューブックを折り込んだ状態を示す正面図である。
【図３】この考案に係るメニューブックにおけるカバー部を示す拡大平面図である。
【図４】この考案に係るメニューブックにおけるカバー部の綴じ具の主要部を示す拡大平面図である。
【図５】この考案に係るメニューブックにおけるカバー部の綴じ具を示す拡大正面図である。
【図６】この考案に係るメニューブックにおけるメニューファィルを示す拡大平面図である。
【符号の説明】
【００１４】
１                    カバー部
１１                  折り込み部
２                    綴じ具
２１                  止め具
２２                  綴じ環
３                    メニューファイル
３１                  ファイル部
３２                  開口部
３３                  綴じ孔
４                    メニュー用紙
Ｔ                    厚さ
【図１】
0003117247.tif 000003
【図２】
0003117247.tif 000004
【図３】
0003117247.tif 000005
【図４】
0003117247.tif 000006
【図５】
0003117247.tif 000007
【図６】
0003117247.tif 000008